(57)【要約】【課題】蓋体を容器本体にワンタッチで装着でき、且つ蓋体を容器本体に強固に保持し、改ざん防止性に優れた紙製容器を得る。【解決手段】蓋体２は環状壁部材７と天壁部材６の２部材からなり、環状壁部材７の折返し部１０に圧着加工部１１、傾斜壁部１２、該容器本体の補強部下面に係止するカール状係止部１３を設け、環状壁が補強されて折返し部を起こして改ざんすることを困難にし、且つ傾斜壁部の上端が容器本体の補強部のカール中心直下位置近傍乃至はカール中心直下又はカール中心直下より内側に位置していることにより、蓋体を上方に引き抜こうとしても、傾斜壁部先端が容器本体の補強部下端に当り上方への移動を阻止し、傾斜壁部は内側に倒れようとする力を受けるので、蓋体が容器本体からすっぽ抜ける現象を確実に防ぐ。【選択図】      図１
2004189253.tif 000002
【特許請求の範囲】
【請求項１】
胴部壁と底壁を有し、前記胴部壁の上部開口端部外側に補強部を有する容器本体と、該容器本体に嵌合する環状壁部材と天壁部材を有する蓋体の組合せからなる紙製容器であって、前記蓋体は帯状ブランクの両端を接着して形成された環状壁部材と該環状壁部材に嵌合する天壁部材の２部材からなり、該環状壁部材は、天壁部材と接する内側下向きにカールする上部カール部、該上部カール部から垂下するスカート壁部、該スカート壁部下端から内側に屈曲して折り返した折返し部を有し、該折返し部は前記スカート壁内周面と圧着加工により圧着している圧着加工壁部、該圧着加工壁部の上端から内側向きに所定角度で傾斜している傾斜壁部となっていることを特徴とする紙製容器。
【請求項２】
胴部壁と底壁を有し、前記胴部壁の上部開口端部外側に補強部を有する容器本体と、該容器本体に嵌合する環状壁部材と天壁部材を有する蓋体の組合せからなる紙製容器であって、前記蓋体は帯状ブランクの両端を接着して形成された環状壁部材と該環状壁部材に嵌合する天壁部材の２部材からなり、該天壁部材は容器本体の開口部を覆う天壁部と該天壁部外周から垂下した垂下壁部からなり、前記環状壁部材は、天壁と接する内側下向きにカールする上部カール部、該上部カール部から垂下するスカート壁部、該スカート壁部下端から内側に屈曲して折り返した折返し部を有し、該折返し部は前記天壁部材の垂下壁部内周面と圧着加工により圧着している圧着加工壁部、該圧着加工壁部の上端から内側向きに所定角度で傾斜している傾斜壁部となっていることを特徴とする紙製容器。
【請求項３】
前記環状壁部材の傾斜壁部は、その上端部が外側向きにカールしており、該カール先端が前記スカート壁内周面と接触又はその近傍に位置している請求項１に記載の紙製容器。
【請求項４】
前記環状壁部材の傾斜壁部は、その上端部が外側向きにカールしており、該カール先端が天壁部材の垂下壁内周面と接触又はその近傍に位置している請求項２に記載の紙製容器。
【請求項５】
前記環状壁部材の傾斜壁部は、蓋体が容器本体と嵌合した状態で、その上端が容器本体の補強部のカール中心直下位置近傍乃至はカール中心直下位置より内側に位置するようになっている請求項１又は２に記載の紙製容器。
【発明の詳細な説明】
【０００１】
【発明の属する技術分野】
本発明は、紙製容器、特に改ざん防止蓋付のコップ状の紙製容器に関する。
【０００２】
【従来の技術】
従来、アイスクリーム等を充填したカップ状紙容器においては、蓋は単に開口部に嵌合してあるだけであり、容易に開蓋でき、それ自体では改ざん防止機能を有していない。しかしながら、コップ状の紙製容器にスナック食品等の固形、練り又は粉末食品、あるいは粘性内容物等を封入したものが多く流通し、紙製容器でも流通段階での改ざん防止機能を有する紙製容器が求められている。この要求を満たすものとして、容器本体に嵌合した状態で容器本体の開口端部外周に形成されたカール部（補強部）の下面に係合する係合カール部を予め環状壁部材の下端に形成しておき、容器本体に内容物充填後に、蓋体を容器本体に上部から押圧して、あるいは容器本体を蓋体に押し上げることにより、蓋体および容器本体のカール部が相対的に弾性変形して、蓋体のカール部が容器本体のカール部を乗り越えて嵌合し、嵌合後は蓋体を上部に持ち上げても蓋体のカール部上面と容器本体のカール部が係合するので、開封することができないようにしたものが提案されている（特許文献１、２参照）。
【０００３】
例えば、特許文献１に記載のものは、硬質紙を打ち抜いた円板の周縁を下方に直角に折り曲げて作った嵌蓋の側縁の下半部内面に接着剤を塗って巻込部を形成すると共に巻込部の下方にロレット等で内側から圧接して硬壁を造り、巻込部を容器の巻込縁下方に弾性的に係止することによって、開蓋ができないように構成されている。また、特許文献２に記載のものでは、蓋体の環状壁部材の下側に折り曲げ自在な係止壁を連続して設け、容器本体に蓋体を嵌合させた後、後加工により係止壁を環状壁部材の内側に折り返して、補強部に係合させるようにして容器本体と蓋体をロック状態にするようにしている。
【０００４】
【特許文献１】
実公昭５６−１２２０７号公報（第１頁、第２図）
【特許文献２】
特開２０００−２８９７５９号公報（段落０００５〜０００７、図２）
【０００５】
【発明が解決しようとする課題】
前記提案されている従来技術のうち、前者は硬質紙を打ち抜いた円板の周縁を下方に直角に折り曲げて嵌蓋を作ってあるため、側縁が外側に広がろうとする傾向にあり、たとえ環状壁部材に接着剤を塗って巻き込み部を形成すると共に巻込部の下方に硬壁を作ったとしても、十分な保持力が得にくく改ざん防止性に未だ満足するものではない。また、環状壁部材に接着剤を塗って巻き込み部を形成すると共に巻込部の下方に硬壁を作らねばならないので、製造工程が複雑でコスト高になる欠点がある。また、後者のものは、容器本体に被せた後で巻締加工するので、充填包装ラインの作業性に劣る問題点がある。また天壁と環状壁が別体に形成されているので、環状壁の折返し部は折返し状態を維持する傾向にあり、折返し部を起すのに大きな抵抗を受けるが、折返し部がフリーであると工具等を使用して折返し部を起すいたずらを完全に防止することはできず、改ざん防止性に未だ満足するものではない。
【０００６】
そこで、本発明は従来の蓋付き紙製容器の上記問題点を同時に解決しようとするものであり、蓋体を容器本体にワンタッチで装着でき、且つ容器本体に装着した状態で蓋体を容器本体に強固に保持し、流通段階で悪戯等で開口できないように容器を強固に封鎖し、蓋体の環状壁部を破断しない限り開口することができず、仮に改ざんがあった場合は直ぐにそのことが分かるように改ざん防止機能に優れた紙製容器を提供することを目的とする。
【０００７】
【課題を解決するための手段】
上記問題点を解決する本発明の紙製容器は、胴部壁と底壁を有し、前記胴部壁の上部開口端部外側に補強部を有する容器本体と、該容器本体に嵌合する環状壁部材と天壁部材を有する蓋体の組合せからなる紙製容器であって、前記蓋体は帯状ブランクの両端を接着して形成された環状壁部材と該環状壁部材に嵌合する天壁部材の２部材からなり、該環状壁部材は、天壁部材と接する内側下向きにカールする上部カール部、該上部カール部から垂下するスカート壁部、該スカート壁部下端から内側に屈曲して折り返した折返し部を有し、該折返し部は前記スカート壁内周面と圧着加工により圧着している圧着加工壁部、該圧着加工壁部の上端から内側向きに所定角度で傾斜している傾斜壁部となっていることを特徴とするものである。
【０００８】
上記問題点を解決する本発明の他の紙製容器は、胴部壁と底壁を有し、前記胴部壁の上部開口端部外側に補強部を有する容器本体と、該容器本体に嵌合する環状壁部材と天壁を有する蓋体の組合せからなる紙製容器であって、前記蓋体は帯状ブランクの両端を接着して形成された環状壁部材と該環状壁部材に嵌合する天壁部材の２部材からなり、該天壁部材は容器本体の開口部を覆う天壁部と該天壁部外周から垂下した垂下壁部からなり、前記環状壁部材は、天壁と接する内側下向きにカールする上部カール部、該上部カール部から垂下するスカート壁部、該スカート壁部下端から内側に屈曲して折り返した折返し部を有し、該折返し部は前記スカート壁内周面と圧着加工により圧着している圧着加工壁部、該圧着加工壁部の上端から内側向きに所定角度で傾斜している傾斜壁部となっていることを特徴とするものである。
【０００９】
前記環状壁部材の傾斜壁部は、蓋体が容器本体と嵌合した状態で、その上端が容器本体の補強部の下部頂点近傍乃至は下部頂点より内側に位置するようになっているのが望ましい。傾斜壁部の上端は、傾斜壁部がそのままの傾斜角度で伸びているようにしてもよく、途中で傾斜角度を変えて垂直状態に立ちあがるようにしてもよい。また、前記環状壁部材の傾斜壁部は、その上端部を外側向きにカールさせ、該カール先端が前記スカート壁内周面又は天壁部材の垂下壁内周面とほぼ接触状態にあるように形成することも可能である。
なお、本発明における「紙製容器」は、基材が紙を主体とする容器をいい、単に天然木材パルプのみからなる紙に限らず、樹脂と紙パルプを混抄した合成紙、あるいは紙層と合成樹脂フィルムや金属箔を積層した積層紙等で製造した容器をいう。
【００１０】
【発明の実施の形態】
以下、本発明の紙製容器の実施形態を図面に基き詳細に説明する。
図１は本発明の第１実施形態に係る紙製容器を示している。
本発明の紙製容器は、コップ状の容器本体１と該容器本体の開口部に外嵌合して開口部を封止する蓋体２とから構成されている。容器本体１は、通常の紙コップと同様に、扇形状の胴部ブランクから形成されたテーパー円筒状の胴部壁３と、円盤状の底部ブランクの周縁部を下方に屈曲して胴部壁３の下端部に巻締した底壁４とからなり、胴部壁の開口上端は外側にカールさせて補強した補強部５となっている。
【００１１】
一方、蓋体２は、前記コップ本体の補強部５の外径にほぼ等しい直径を有する円盤状の天壁部材６と、円筒状の環状壁部材７の２ピースから構成されている。環状壁部材７は、帯状ブランクの両端部を接着することにより円筒状に形成したものであり、図１（ｂ）に示すように、天壁部材６と接する内側下向きにカールする上部カール部８、該上部カール部から垂下するスカート壁部９、該スカート壁部下端から内側に屈曲した折返し部１０とからなっている。そして、折返し部１０は、前記スカート壁内周面と圧着加工により圧着している圧着加工壁部１１、該圧着加工壁部の上端から内側向きに所定角度で傾斜している傾斜壁部１２となっている。そして、傾斜壁部１２の上端部が外側向きにカールしてカール状係止部１３を形成し、その先端１４がスカート壁内周面と接触している。圧着加工壁部１１は、本実施形態では内側からローレット加工によりスカート壁内周面に圧接させてあり、それにより折返し部が補強され、いたずらにより折返し部を内側から下方に引き起そうとしても、環状壁部材を破断しない限り殆ど不可能であり、改ざんを確実に防止することができる。なお、ローレット加工に代えて、ヒートシールまたは糊付けにより、圧着加工壁部１１をスカート壁内周面に接着させてもよいが、ローレット加工で十分にその機能を果たすことができる。圧着加工壁部１１の高さは、本実施形態の場合、折返し部の高さＡとすると（１／２〜１／４）Ａの範囲が望ましい。１／４Ａよりも小さいと補強効果が薄く、１／２Ａよりも大きいと後述する傾斜壁部１２の長さを十分に確保することができなくなる。
【００１２】
傾斜壁部１２は、ローレット加工された上端部から所定角度内向きに傾斜して形成されるが、傾斜角度は、その傾斜中心線ｎが容器本体の補強部５のカール下面とその垂直中心線ｍとその交点ｐよりも下方位置で交わるように傾斜しているのが望ましい。即ち、傾斜壁部１２の上端が容器本体の補強部のカール中心直下位置近傍乃至はカール中心直下又はカール中心直下より内側に位置するようになっている。それにより、蓋体を上方に引き上げようとしても、カール状係止部１３の頂部が容器本体の補強部５下端に当り上方への移動を阻止され、開蓋することができない。改ざんするために例え強い力で引き上げても、カール状係止部１３の頂部に強い力が作用すると、傾斜壁部１２の傾斜角度が上記のように形成されていることによって、傾斜壁部１２は内側に倒れようとする力を受けるので、傾斜壁部１２が外側に倒れることがない。従って、カール状係止部と容器本体の補強部との係止が外れて、蓋体が容器本体からすっぽ抜けてしまうという現象は生じない。
【００１３】
本実施形態の紙製容器は、以上のように構成され、蓋体は予め天壁部材と環状壁部材が一体に組み立てられた状態で内容物充填メーカーに供給される。その際、天壁部材６は環状壁部材７に嵌合し、環状壁部材の上部カール部８下端と折返し部１０のカール状係止部の上端との間に位置しているが、天壁部材６と環状壁部材７は遊嵌状態であってもよく、天壁部材の外周部上面と環状壁部材の上部カール部８の下面とヒートシールまたは糊付けにより接着してもよい。なお、スカート壁部９には、開蓋に際してスカート壁を破断できるように開蓋用の弱化線が設けられている。弱化線は特に限定されるものでなく、従来と同様に任意の形態のものが採用できる。
【００１４】
以上のように構成された本実施形態の紙製容器は、例えばアイスクリーム容器等に好適に適用でき、蓋体２が充填ラインで内容物が充填された容器本体の上側に供給され、容器本体の開口部に向けて相対的に押圧することによって、容器本体のカール状補強部５の上側円弧面で下から傾斜壁部１２を押し上げるので、傾斜壁部１２及びカール状係止部１３が弾性変形して高さ方向に拡がり、容器本体のカール状補強部５がカール状係止部１３を乗り越える。カール状補強部５が乗り越えると折返し部は弾性により元の状態に復帰し、図１（ｂ）に示すように、環状壁部材の上部カール部８下端と折返し部１０のカール状係止部１３の上端との間に嵌まる。したがって、ワンタッチで容器本体１に蓋体２を装着して封緘することができる。この状態で、蓋を上方に引き上げても、カール状係止部１３の頂部が容器本体の補強部５下端に当り上方への移動を阻止され、開蓋することができない。改ざんするために、例え強い力で引き上げても、傾斜壁部１２の傾斜角度が上記のように形成されていることによって、カール状係止部１３の頂部が容器本体のカール部下端に当ることによって、傾斜壁部１２は内側に倒れる力を受けるので、容器本体１の補強部５と折返し部１０の噛み合いが益々強くなり、開蓋は不可能となる。したがって、単に蓋を引き上げることによって、蓋がすっぽ抜けることはなく、確実に改ざん防止が図れる。
【００１５】
また、改ざんするために、折返し部と容器本体の胴部壁の間から工具等を使用して折返し部を起そうとしても、カール部先端１４はスカート内周面にほぼ接触状態であるので、工具等で先端部を引っ掛けることは困難である。例え引っ掛けることができたとしても、折返し部１０が円筒を変極点を超えて折り返しているため、起こすには強い抵抗を受けると共に、それに加えて圧着加工壁部によってさらに強化されているので、環状壁部材を損傷しない限り、折返し部を起こして蓋を開けるのは非常に困難である。したがって、本実施形態の紙製容器によれば、単に容器本体に蓋体を押圧するのみで、ワンタッチで閉蓋することができ、しかも閉蓋後はスカート壁の弱化線を破断しない限り開蓋ができず、改ざん防止に優れた紙製容器を得ることができる。
【００１６】
図２は、本発明の他の実施形態に係る紙製容器の要部断面を示している。本実施形態において、前記実施形態と同様な部分は同一符号を付し、詳細な説明は省略する（以下に示す各実施形態とも同様とする）。本実施形態の紙製容器２０では、蓋体２の折返し部２１の形状が前記実施形態と相違し、圧着加工壁部１１の上端部から内側向きに傾斜している傾斜壁部１２の上部が垂直に立ち上がってその先端が容器本体の補強部５に係止する垂直係止部２２となっている。該垂直係止部２２の上端部は少なくとも補強部のｐ点よりも内側に位置するように形成するのが望ましい。垂直係止部２２の上端部が補強部のｐ点よりも外側にあると、蓋体を引き上げると垂直係止部の頂部が補強部のｐ点より外側に当るため、引上げ力により次第に補強部５の円弧面に沿って外側に移動し、しまいには抜けてしまう可能性がある。そのため、実線または仮想線で示すように、補強部５のｐ点より内側の円弧面に突き当るように形成する。なお、本実施形態では、傾斜壁部を前記実施形態と比べて比較的小さく形成することができるので、圧着加工壁部１１の高さＨは、補強部５の下端までの高さＡの（２／３〜１／２）Ａにするのが望ましい。
【００１７】
図３は、本発明の他の実施形態に係る紙製容器の要部断面を示している。本実施形態の紙製容器２５では、蓋体２の折返し部２６の係止壁部１２の先端２７が直接容器本体の補強部５と係合する傾斜係止部となっている。したがって、蓋体を引き上げて該係止壁部１２の先端２７が補強部５の円弧面に突き当たる際、ｐ点またはｐ点よりも内側に当るように、傾斜壁部の傾斜角を設定するのが好ましい。本実施形態でも圧着加工壁部１１の高さＨは、補強部５の下端までの高さＡの（２／３〜１／２）Ａにするのが望ましい。
【００１８】
図４、図５及び図６は、それぞれ本発明の他の実施形態に係る紙製容器の要部断面を示している。これらの実施形態では、蓋体の天壁部材の構成が前記図１〜３に示す各実施形態のものと相違しているが、環状壁部材７の構成は、図４に示す実施形態が図１に示す実施形態と、図５に示す実施形態が図２に示す実施形態と、及び図６に示す実施形態が図３に示す実施形態と同様な構成となっている。
【００１９】
図４〜６に示す実施形態の紙製容器３０、３５、４０では、天壁部材３１は、円板のブランクを絞り成形して形成され、容器本体の開口部を覆う天壁部３２と該天壁部から垂下した垂下壁部３３とで構成されている。環状壁部材７のスカート壁部９は、天壁部材３１の垂下壁部３３に沿って垂下し、その下方部で垂下壁部３３を包み込むように折り返して圧着加工壁部１１を構成している。したがって、圧着加工壁部１１は、垂下壁部３３の内周面にローレット加工により直接圧着されている。そのため、蓋体のスカート壁は、環状壁部材７のスカート壁部９と天壁部材３１の垂下壁部３３の二重構造となり、さらにその下方部の圧着加工壁部が位置するところでは、スカート壁部９と垂下壁部３３及び圧着加工壁部１１の三重構造となり、蓋体がより強固になり、図１〜図３に示す実施形態のように環状壁部材７のみで構成する場合と比べて、改ざんがより困難になる。また、これらの実施形態における天壁部材３１は、絞り成形により天壁部３２と垂下壁部３３が一体となったカップ状になっており、開口に際しても環状壁部材７のみが破断されるだけで天壁部材３１は破断されないので、開蓋後は環状壁部材７を除去して、天壁部材３１のみを容器に被せることによって、容器本体１を再蓋することができる。したがって、これらの実施形態における天壁部材３１は、蓋体のスカート壁の補強機能を果たすと共に、再蓋機能を果たしている。
【００２０】
また、これらの実施形態の紙製容器は、天壁部材が絞り成形により垂下壁部を有するため、環状壁部材のスカート壁に設けるスカート壁破断用の弱化線は、周方向に環状に設けるよりも、縦方向に設けた方が開蓋し易いために、これらの実施形態では、図７に示すように、環状壁の上部カール部からスカート壁の下方部まで縦方向に間隔をおいて２本の弱化線を形成して、引き裂き片４０を上部カール部から弱化線に沿ってを引き裂くことによって環状壁を破断して開封できるようにしてある。その際、弱化線間に位置する上部カール部４１’に指を掛けて引っ張ることにより、弱化線を破断させるが、上部カール部が丸いカールだと指掛かりが悪く、特に幼児等には開封し難い問題点がある。このため、本実施形態では、上部カール部４１を内側からローレット加工により潰し、つまみ易くして幼児でも容易に開蓋できるようにした。同様な加工及び開蓋用の弱化線を図１〜図３に示す実施形態において施してもよい。
【００２１】
なお、これらの実施形態の紙製容器は、スカート壁の内周面側に垂下壁部３３が位置している点を除けば、その他の構成は前記図１〜図３に示す実施形態と構成及び作用効果は同様であるので、これらの各実施形態ごとの説明は省略する。上記各実施形態において、蓋体のスカート壁の高さは任意で良いが、長い程折返し部も長くなるので、折返し部を起こすことが困難になり、改ざん防止効果が高くなる。
【００２２】
以上、本発明に係る紙製容器の種々の実施形態について説明したが、本発明はこれらの実施形態に限るものでなく、その技術的思想の範囲内で種々の設計変更が可能である。例えば、上記実施形態では、容器本体が断面円形状の場合について説明したが、本発明の紙製容器は断面円形状の容器に限らず、断面楕円形状あるいは四角形状等任意の任意形状の紙製容器に適用できるものである。そして、本発明の紙製容器は、内容物がアイスクリーム等の冷菓容器に限らず、スナック食品等の固形、練り又は粉末食品、あるいは粘性内容物等容器に効果的に適用できるものである。
【００２３】
【発明の効果】
以上のように、本発明によれば、蓋体を容器本体にワンタッチで装着できるので、充填包装ラインの包装工程が単純化でき高速化を図ることができると共に設備コストも低減でき、且つ容器本体に装着した状態で蓋体を容器本体に強固に保持し、流通段階で悪戯等で開口できないように容器を強固に封鎖し、蓋体の環状壁部を破断しない限り開口することができず、改ざん防止性に優れた紙製容器を得ることができる。そして、蓋体の環状壁部の折返し部に圧着加工部、傾斜壁部、該傾斜壁部の頂部に容器本体の補強部下面に係止する係止部を設けたので、環状壁が補強されて折返し部を起こして改ざんすることを困難にし、且つ傾斜壁部の上端が容器本体の補強部のカール中心直下位置近傍乃至はカール中心直下又はカール中心直下より内側に位置していることにより、蓋体を上方に引き上げようとしても、傾斜壁部先端に設けられた係止部の頂部が容器本体の補強部下端に当り上方への移動を阻止され、例え強い力で引き上げても、傾斜壁部は内側に倒れようとする力を受けるので、係止部と容器本体の補強部との係止が外れて、蓋体が容器本体からすっぽ抜けてしまうという現象を確実に防ぐことができる。
【００２４】
さらに、請求項２の発明によれば、蓋体のスカート壁は、環状壁部材のスカート壁部と天壁部材の垂下壁部の二重構造となり、さらにその下方部の圧着加工壁部が位置するところでは、スカート壁部と垂下壁部及び圧着加工壁部の三重構造となるので、蓋体がより強固になり改ざん防止効果を一段と高めることができる。
また、開蓋後には、天壁部材により再蓋が可能となる。
【図面の簡単な説明】
【図１】（ａ）は本発明の実施形態に係る紙製容器の中心線より右側が正面断面、左側が正面図であり、（ｂ）はその要部断面拡大図である。
【図２】本発明の他の実施形態に係る紙製容器の巻締部断面拡大図である。
【図３】本発明のさらに他の実施形態に係る紙製容器の巻締部断面拡大図である。
【図４】本発明のさらに他の実施形態に係る紙製容器の巻締部断面拡大図である。
【図５】本発明のさらに他の実施形態に係る紙製容器の巻締部断面拡大図である。
【図６】本発明のさらに他の実施形態に係る紙製容器の巻締部断面拡大図である。
【図７】本発明のの実施形態に係る紙製容器の開蓋のために、引き裂き片を引き裂いた状態を示す要部模式図である。
【符号の説明】
１  容器本体                    ２  蓋体
３  胴部壁                      ４  底壁
５  補強部                ６、３１  天壁部材
７  環状壁部材                  ８  上部カール部
９  スカート壁部              １０、２１、２６  折返し部
１１  圧着加工壁部              １２  傾斜壁部
１３  カール状係止部
１５、２０、２５、３０、３５、３６  紙製容器
２２  垂直係止部                ３３  垂下壁部
４０  引き裂き片
【図１】
2004189253.tif 000003
【図２】
2004189253.tif 000004
【図３】
2004189253.tif 000005
【図４】
2004189253.tif 000006
【図５】
2004189253.tif 000007
【図６】
2004189253.tif 000008
【図７】
2004189253.tif 000009